【手続補正書】
【提出日】平成22年7月21日(2010.7.21)
【手続補正１】
【補正対象書類名】特許請求の範囲
【補正対象項目名】全文
【補正方法】変更
【補正の内容】
【特許請求の範囲】
【請求項１】
放送されている第１コンテンツの映像から、前記第１コンテンツと同一の映像を含む、記録されている第２コンテンツの映像に切り換えるコンテンツ切換装置であって、
前記第１コンテンツの第１映像に相当する映像が、前記第２コンテンツ内のどの位置にあるかを同定する位置同定手段と、
前記位置同定手段により同定された位置に基づいて前記第２コンテンツの再生を開始する再生開始位置を決定する再生制御手段と、
を備えることを特徴とするコンテンツ切換装置。
【請求項２】
再生位置もしくは再生速度の変更要求をユーザから受け付ける要求受付手段をさらに備えており、
前記第１コンテンツの出力中に前記変更要求を受け付けた場合に、前記第１コンテンツの映像から前記第２コンテンツの映像への切り換えが行われることを特徴とする請求項１に記載のコンテンツ切換装置。
【請求項３】
前記第１映像に相当する映像が前記第２コンテンツ内に存在しない場合に、前記位置同定手段は、前記第１コンテンツにおける前記第１映像の前または後の映像の中から前記第２コンテンツ内に存在する映像を探すことを特徴とする請求項１または２に記載のコンテンツ切換装置。
【請求項４】
前記位置同定手段は、前記第１コンテンツの映像と前記第２コンテンツの映像との時間的位置関係を定義する定義情報を参照することにより、位置の同定を行うことを特徴とする請求項１〜３のいずれかに記載のコンテンツ切換装置。
【請求項５】
前記第１コンテンツおよび前記第２コンテンツはそれぞれ複数のセグメントから構成されており、
前記定義情報は、前記第１および第２コンテンツの各セグメントの開始時間と時間長と対応関係とを定義する情報であることを特徴とする請求項４に記載のコンテンツ切換装置。
【請求項６】
前記定義情報は、前記第１コンテンツ内の複数の位置における、前記第２コンテンツ内
の対応位置のオフセット量を定義する情報であることを特徴とする請求項４に記載のコンテンツ切換装置。
【請求項７】
前記位置同定手段は、前記第１映像と前記第２コンテンツ内の映像との画像マッチングにより、位置の同定を行うことを特徴とする請求項１〜３のいずれかに記載のコンテンツ切換装置。
【請求項８】
前記第１コンテンツにおける前記第１映像の位置をＡ秒（Ａ＞０）とおくと、
前記位置同定手段は、
前記第１コンテンツの時間長よりも前記第２コンテンツの時間長のほうが長い場合に、前記第２コンテンツ内のＡ秒以降の部分から画像マッチングの検査範囲を決定し、
前記第１コンテンツの時間長よりも前記第２コンテンツの時間長のほうが短い場合に、前記第２コンテンツ内のＡ秒以前の部分から画像マッチングの検査範囲を決定することを特徴とする請求項７に記載のコンテンツ切換装置。
【請求項９】
前記位置同定手段は、
前記第１コンテンツよりも前記第２コンテンツがＢ秒間（Ｂ＞０）長い場合に、前記第２コンテンツ内のＡ秒からＡ＋Ｂ秒までの部分から画像マッチングの検査範囲を決定し、
前記第１コンテンツよりも前記第２コンテンツがＣ秒間（Ｃ＞０）短い場合に、前記第２コンテンツ内のＡ−Ｃ秒からＡ秒までの部分から画像マッチングの検査範囲を決定することを特徴とする請求項８に記載のコンテンツ切換装置。
【請求項１０】
前記第１コンテンツよりも前記第２コンテンツがＣ秒間短く、且つ、前記第１コンテンツの頭から前記第１映像までの間にＤ秒間（Ｃ＞Ｄ＞０）のＣＭが含まれていた場合に、
前記位置同定手段は、前記第２コンテンツ内のＡ−Ｃ秒からＡ−Ｄ秒までの部分から画像マッチングの検査範囲を決定することを特徴とする請求項８または９に記載のコンテンツ切換装置。
【請求項１１】
前記第１コンテンツの映像を一時的に記憶する記憶手段をさらに備えており、
前記位置同定手段は、
前記第１コンテンツの現在の映像がＣＭでない場合は、前記現在の映像を前記第１映像として用い、
前記第１コンテンツの現在の映像がＣＭである場合は、前記記憶手段に記憶されているＣＭ直前の映像を前記第１映像として用いることを特徴とする請求項７〜１０のいずれかに記載のコンテンツ切換装置。
【請求項１２】
放送されている第１コンテンツの映像から、前記第１コンテンツと同一の映像を含む、記録されている第２コンテンツの映像に切り換えるコンテンツ切換方法であって、
前記第１コンテンツの第１映像に相当する映像が、前記第２コンテンツ内のどの位置にあるかを同定する位置同定ステップと、
前記位置同定ステップにおいて同定された位置に基づいて前記第２コンテンツの再生を開始する再生開始位置を決定するステップと、
を備えることを特徴とするコンテンツ切換方法。
【請求項１３】
再生位置もしくは再生速度の変更要求をユーザから受け付けるステップをさらに備えており、
前記第１コンテンツの出力中に前記変更要求を受けた場合に、前記第１コンテンツの映像から前記第２コンテンツの映像への切り換えが行われることを特徴とする請求項１２に記載のコンテンツ切換方法。
【請求項１４】
前記位置同定ステップでは、
前記第１映像に相当する映像が前記第２コンテンツ内に存在しない場合に、前記第１コンテンツにおける前記第１映像の前または後の映像の中から前記第２コンテンツ内に存在する映像を探すことを特徴とする請求項１２または１３に記載のコンテンツ切換方法。
【請求項１５】
前記位置同定ステップでは、前記第１コンテンツの映像と前記第２コンテンツの映像との時間的位置関係を定義する定義情報を参照することにより、位置の同定が行われることを特徴とする請求項１２〜１４のいずれかに記載のコンテンツ切換方法。
【請求項１６】
前記第１コンテンツおよび前記第２コンテンツはそれぞれ複数のセグメントから構成されており、
前記定義情報は、前記第１および第２コンテンツの各セグメントの開始時間と時間長と対応関係とを定義する情報であることを特徴とする請求項１５に記載のコンテンツ切換方法。
【請求項１７】
前記定義情報は、前記第１コンテンツ内の複数の位置における、前記第２コンテンツ内の対応位置のオフセット量を定義する情報であることを特徴とする請求項１５に記載のコンテンツ切換方法。
【請求項１８】
前記位置同定ステップでは、前記第１映像と前記第２コンテンツ内の映像との画像マッチングにより、位置の同定が行われることを特徴とする請求項１２〜１４のいずれかに記載のコンテンツ切換方法。
【請求項１９】
前記第１コンテンツにおける前記第１映像の位置をＡ秒（Ａ＞０）とおくと、
前記位置同定ステップでは、
前記第１コンテンツの時間長よりも前記第２コンテンツの時間長のほうが長い場合に、前記第２コンテンツ内のＡ秒以降の部分から画像マッチングの検査範囲が決定され、
前記第１コンテンツの時間長よりも前記第２コンテンツの時間長のほうが短い場合に、前記第２コンテンツ内のＡ秒以前の部分から画像マッチングの検査範囲が決定されることを特徴とする請求項１８に記載のコンテンツ切換方法。
【請求項２０】
前記位置同定ステップでは、
前記第１コンテンツよりも前記第２コンテンツがＢ秒間（Ｂ＞０）長い場合に、前記第２コンテンツ内のＡ秒からＡ＋Ｂ秒までの部分から画像マッチングの検査範囲が決定され、
前記第１コンテンツよりも前記第２コンテンツがＣ秒間（Ｃ＞０）短い場合に、前記第２コンテンツ内のＡ−Ｃ秒からＡ秒までの部分から画像マッチングの検査範囲が決定されることを特徴とする請求項１９に記載のコンテンツ切換方法。
【請求項２１】
前記第１コンテンツよりも前記第２コンテンツがＣ秒間短く、且つ、前記第１コンテンツの頭から前記第１映像までの間にＤ秒間（Ｃ＞Ｄ＞０）のＣＭが含まれていた場合に、
前記位置同定ステップでは、前記第２コンテンツ内のＡ−Ｃ秒からＡ−Ｄ秒までの部分から画像マッチングの検査範囲が決定されることを特徴とする請求項１９または２０に記載のコンテンツ切換方法。
【請求項２２】
前記第１コンテンツの映像を一時的に記憶するステップをさらに備えており、
前記位置同定ステップでは、
前記第１コンテンツの現在の映像がＣＭでない場合は、前記現在の映像が前記第１映像として用いられ、
前記第１コンテンツの現在の映像がＣＭである場合は、前記記憶ステップで記憶された
ＣＭ直前の映像が前記第１映像として用いられることを特徴とする請求項１９〜２１のいずれかに記載のコンテンツ切換方法。